(57)【要約】【課題】目視により発見された不良品に関する情報を簡易に統一された表現の情報として入力することのできる不良品情報入力装置及び不良品情報入力方法を得る。【解決手段】所定組立物の組立作業を行う作業者で、かつ組立作業を行っているときに発見された当該組立作業で用いる部品の不良品に関する不良品情報を入力する作業者毎に、前記不良品情報を示す予め定められた複数の情報として、対応する作業者の独自の表現による作業者別表現情報と統一された表現による標準表現情報とを関連付けてハードディスク２０Ｄに記憶しておき、何れかの作業者によって不良品情報が入力されたとき、ＣＰＵ２０Ａにより、不良品情報を入力している作業者を特定し、当該作業者に対応し、かつ入力された不良品情報に含まれる作業者別表現情報に対応する標準表現情報をハードディスク２０Ｄから読み出すことにより、当該作業者別表現情報を標準表現情報に変換する。【選択図】図２
2007172155.tif 000002
【特許請求の範囲】
【請求項１】
所定組立物の組立作業を行う作業者で、かつ前記組立作業を行っているときに発見された当該組立作業で用いる部品の不良品に関する不良品情報を入力する作業者毎に、前記不良品情報を示す予め定められた複数の情報として、対応する前記作業者の独自の表現による作業者別表現情報と統一された表現による標準表現情報とが関連付けられて予め記憶された記憶手段と、
前記作業者による前記作業者別表現情報を用いた前記不良品情報を入力する入力手段と、
前記入力手段によって前記不良品情報を入力している作業者を特定する特定手段と、
前記入力手段によって前記不良品情報が入力されたとき、前記特定手段によって特定された作業者に対応し、かつ入力された前記不良品情報に含まれる前記作業者別表現情報に対応する前記標準表現情報を前記記憶手段から読み出すことにより、入力された前記不良品情報に含まれる前記作業者別表現情報を前記標準表現情報に変換する変換手段と、
を備えた不良品情報入力装置。
【請求項２】
前記複数の情報は、前記不良品を特定することのできる不良品特定情報、前記不良品の不良の名称を示す不良名情報、前記不良の程度を示す不良程度情報、前記不良の位置を示す不良位置情報、及び前記不良品の数を示す不良品数情報の少なくとも１つの情報である
請求項１記載の不良品情報入力装置。
【請求項３】
前記記憶手段は、前記変換手段によって得られた前記標準表現情報を更に記憶する
請求項１又は請求項２記載の不良品情報入力装置。
【請求項４】
前記入力手段によって入力される前記不良品情報は、日本語を除く言語の情報である
請求項１乃至請求項３の何れか１項記載の不良品情報入力装置。
【請求項５】
前記入力手段は、前記不良品情報の入力を、前記組立作業を行っている途中で、かつ前記不良品が発見された時点、及び前記組立作業が所定期間単位で終了した時点の少なくとも一方で行う
請求項１乃至請求項４の何れか１項記載の不良品情報入力装置。
【請求項６】
前記入力手段を、前記組立作業が所定期間単位で終了した時点で前記作業者別表現情報を用いた文章を前記不良品情報として入力するものとし、
前記変換手段によって前記作業者別表現情報が前記標準表現情報に変換された後の前記文章からテキストマイニング技術によって有効な単語情報を抽出する抽出手段を更に備え、
前記記憶手段は、前記抽出手段によって抽出された前記単語情報を更に記憶する
請求項５記載の不良品情報入力装置。
【請求項７】
前記入力手段は、前記不良品情報を音声情報として入力する
請求項１乃至請求項６の何れか１項記載の不良品情報入力装置。
【請求項８】
所定組立物の組立作業を行う作業者で、かつ前記組立作業を行っているときに発見された当該組立作業で用いる部品の不良品に関する不良品情報を入力する作業者毎に、前記不良品情報を示す予め定められた複数の情報として、対応する前記作業者の独自の表現による作業者別表現情報と統一された表現による標準表現情報とを関連付けて記憶手段により予め記憶しておき、
何れかの前記作業者によって前記作業者別表現情報を用いた前記不良品情報が入力されたとき、当該不良品情報を入力している作業者を特定し、
特定した作業者に対応し、かつ入力された前記不良品情報に含まれる前記作業者別表現情報に対応する前記標準表現情報を前記記憶手段から読み出すことにより、入力された前記不良品情報に含まれる前記作業者別表現情報を前記標準表現情報に変換する、
不良品情報入力方法。
【発明の詳細な説明】
【技術分野】
【０００１】
本発明は、不良品情報入力装置及び不良品情報入力方法に係り、特に、所定組立物の組み立てに用いる部品の不良品に関する不良品情報を入力する不良品情報入力装置及び不良品情報入力方法に関する。
【背景技術】
【０００２】
人手により所定組立物の組立作業を行う際に不良部品が目視にて発見された場合、作業者により当該不良部品に関する情報を記憶装置により登録しておくことは、コンピュータによって不良部品の発生頻度等の統計データを導出する場合や棚卸しのための情報を作成する場合等において利用することができ、非常に有用である。
【０００３】
しかしながら、この場合、作業者によって登録される情報は用語が統一されたものとなっていることが好ましいが、通常、組立作業を行う際には多種多様な不良状態が有り得るため、複数の作業者に対して統一された用語を用いて登録作業を行わせることは困難であった。特に、セル生産方式により組立作業を行うシステムでは、同一箇所の組立作業を複数の作業者により行う場合が多いため、この問題は深刻なものとなる。
【０００４】
この問題を解決するために適用できる技術として、特許文献１には、人手による目視検査工程で発見した不良に対し、その不良実績を簡単に効率よく入力できるようにすることを目的として、プリント板組立検査の人手による目視検査工程に対し、実装ＣＡＤデータを基に、各検査工程毎の検査対象となる基板、部品形状を編集した目視検査用画面データと検査指示規則を記憶装置に格納し、それを基に、目視検査用画面を表示端末上にグラフィック表示して検査指示を行い、その検査結果である不良実績を収集し、記憶装置に格納する目視検査工程用実績収集装置において、上記不良実績を入力するための入力媒体として、キーボードやマウスと共に、タッチパネルを使用し、直接画面上を指等で触ることによる入力を可能とした技術が開示されている。
【０００５】
この技術では、不良現象を入力する際に不良現象データベースを基に不良現象を一覧表示し、その一覧表上の不良現象を画面上から直接選択し、入力しているため、不良部品に関する情報を統一された用語で登録することが可能となる。
【特許文献１】特開平８−１２５３９８号公報
【発明の開示】
【発明が解決しようとする課題】
【０００６】
しかしながら、上記特許文献１に開示されている技術では、一覧表示された画面から発見された不良品に関する情報を見つけ出して選択する必要があり、当該選択に比較的多くの時間が必要であるため、必ずしも入力効率がよいとは限らない、という問題点があった。
【０００７】
本発明は上記問題点を解決するためになされたものであり、目視により発見された不良品に関する情報を簡易に統一された表現の情報として入力することのできる不良品情報入力装置及び不良品情報入力方法を提供することを目的とする。
【課題を解決するための手段】
【０００８】
上記目的を達成するために、本発明の不良品情報入力装置は、所定組立物の組立作業を行う作業者で、かつ前記組立作業を行っているときに発見された当該組立作業で用いる部品の不良品に関する不良品情報を入力する作業者毎に、前記不良品情報を示す予め定められた複数の情報として、対応する前記作業者の独自の表現による作業者別表現情報と統一された表現による標準表現情報とが関連付けられて予め記憶された記憶手段と、前記作業者による前記作業者別表現情報を用いた前記不良品情報を入力する入力手段と、前記入力手段によって前記不良品情報を入力している作業者を特定する特定手段と、前記入力手段によって前記不良品情報が入力されたとき、前記特定手段によって特定された作業者に対応し、かつ入力された前記不良品情報に含まれる前記作業者別表現情報に対応する前記標準表現情報を前記記憶手段から読み出すことにより、入力された前記不良品情報に含まれる前記作業者別表現情報を前記標準表現情報に変換する変換手段と、を備えている。
【０００９】
本発明の不良品情報入力装置によれば、所定組立物の組立作業を行う作業者で、かつ前記組立作業を行っているときに発見された当該組立作業で用いる部品の不良品に関する不良品情報を入力する作業者毎に、前記不良品情報を示す予め定められた複数の情報として、対応する前記作業者の独自の表現による作業者別表現情報と統一された表現による標準表現情報とが関連付けられて記憶手段により予め記憶される。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia（登録商標））、フレキシブル・ディスク等の可搬型の記録媒体やハードディスク等の固定型の記録媒体、或いはネットワークに接続されたサーバ・コンピュータ等に設けられた外部記憶装置が含まれる。
【００１０】
また、本発明は、入力手段によって前記作業者による前記作業者別表現情報を用いた前記不良品情報を入力するものとされており、本発明では、当該入力手段によって前記不良品情報を入力している作業者が特定手段によって特定される。なお、上記入力手段による前記不良品情報の入力には、キーボードによる入力の他、作業者により不良品情報が記入された用紙からのＯＣＲ（Optical Character Reader）による入力が含まれる。
【００１１】
そして、本発明では、変換手段により、前記入力手段によって前記不良品情報が入力されたとき、前記特定手段によって特定された作業者に対応し、かつ入力された前記不良品情報に含まれる前記作業者別表現情報に対応する前記標準表現情報が前記記憶手段から読み出されることにより、入力された前記不良品情報に含まれる前記作業者別表現情報が前記標準表現情報に変換される。
【００１２】
このように、本発明の不良品情報入力装置によれば、所定組立物の組立作業を行う作業者で、かつ前記組立作業を行っているときに発見された当該組立作業で用いる部品の不良品に関する不良品情報を入力する作業者毎に、前記不良品情報を示す予め定められた複数の情報として、対応する前記作業者の独自の表現による作業者別表現情報と統一された表現による標準表現情報とを関連付けて記憶手段により予め記憶しておき、何れかの前記作業者によって前記作業者別表現情報を用いた前記不良品情報が入力されたとき、当該不良品情報を入力している作業者を特定し、特定した作業者に対応し、かつ入力された前記不良品情報に含まれる前記作業者別表現情報に対応する前記標準表現情報を前記記憶手段から読み出すことにより、入力された前記不良品情報に含まれる前記作業者別表現情報を前記標準表現情報に変換しているので、目視により発見された不良品に関する情報を簡易に統一された表現の情報として入力することができる。
【００１３】
なお、本発明は、前記複数の情報を、前記不良品を特定することのできる不良品特定情報、前記不良品の不良の名称を示す不良名情報、前記不良の程度を示す不良程度情報、前記不良の位置を示す不良位置情報、及び前記不良品の数を示す不良品数情報の少なくとも１つの情報であるものとしてもよい。
【００１４】
また、本発明は、前記記憶手段が、前記変換手段によって得られた前記標準表現情報を更に記憶するものとしてもよい。
【００１５】
また、本発明は、前記入力手段によって入力される前記不良品情報を、日本語を除く言語の情報であるものとしてもよい。
【００１６】
また、本発明は、前記入力手段が、前記不良品情報の入力を、前記組立作業を行っている途中で、かつ前記不良品が発見された時点、及び前記組立作業が所定期間単位で終了した時点の少なくとも一方で行うものとしてもよい。なお、上記所定期間単位には、１時間毎、２時間毎等の時間単位、午前、午後等の半日単位、１日間単位が含まれる。
【００１７】
特に、本発明は、前記入力手段を、前記組立作業が所定期間単位で終了した時点で前記作業者別表現情報を用いた文章を前記不良品情報として入力するものとし、前記変換手段によって前記作業者別表現情報が前記標準表現情報に変換された後の前記文章からテキストマイニング技術によって有効な単語情報を抽出する抽出手段を更に備え、前記記憶手段は、前記抽出手段によって抽出された前記単語情報を更に記憶するものとしてもよい。
【００１８】
更に、本発明は、前記入力手段が、前記不良品情報を音声情報として入力するものとしてもよい。
【００１９】
一方、上記目的を達成するために、本発明の不良品情報入力方法は、所定組立物の組立作業を行う作業者で、かつ前記組立作業を行っているときに発見された当該組立作業で用いる部品の不良品に関する不良品情報を入力する作業者毎に、前記不良品情報を示す予め定められた複数の情報として、対応する前記作業者の独自の表現による作業者別表現情報と統一された表現による標準表現情報とを関連付けて記憶手段により予め記憶しておき、何れかの前記作業者によって前記作業者別表現情報を用いた前記不良品情報が入力されたとき、当該不良品情報を入力している作業者を特定し、特定した作業者に対応し、かつ入力された前記不良品情報に含まれる前記作業者別表現情報に対応する前記標準表現情報を前記記憶手段から読み出すことにより、入力された前記不良品情報に含まれる前記作業者別表現情報を前記標準表現情報に変換するものである。
【００２０】
従って、本発明の不良品情報入力方法によれば、本発明の不良品情報入力装置と同様に作用するので、当該不良品情報入力装置と同様に、目視により発見された不良品に関する情報を簡易に統一された表現の情報として入力することができる。
【発明の効果】
【００２１】
本発明によれば、所定組立物の組立作業を行う作業者で、かつ前記組立作業を行っているときに発見された当該組立作業で用いる部品の不良品に関する不良品情報を入力する作業者毎に、前記不良品情報を示す予め定められた複数の情報として、対応する前記作業者の独自の表現による作業者別表現情報と統一された表現による標準表現情報とを関連付けて記憶手段により予め記憶しておき、何れかの前記作業者によって前記作業者別表現情報を用いた前記不良品情報が入力されたとき、当該不良品情報を入力している作業者を特定し、特定した作業者に対応し、かつ入力された前記不良品情報に含まれる前記作業者別表現情報に対応する前記標準表現情報を前記記憶手段から読み出すことにより、入力された前記不良品情報に含まれる前記作業者別表現情報を前記標準表現情報に変換しているので、目視により発見された不良品に関する情報を簡易に統一された表現の情報として入力することができる、という効果が得られる。
【発明を実施するための最良の形態】
【００２２】
以下、図面を参照して、本発明を実施するための最良の形態について詳細に説明する。なお、ここでは、本発明を、セル生産方式によりデジタルカメラの組立作業を行う組立作業システムに適用した場合について説明する。
【００２３】
［第１の実施の形態］
まず、図１を参照して、本発明が適用された組立作業システム１０の構成を説明する。
【００２４】
同図に示すように、本実施の形態に係る組立作業システム１０は、作業者８０により、レンズ部６０Ａ、撮像基板部６０Ｂ、筐体部６０Ｃ、メイン基板６０Ｄ等の各種部品を組み合わせてデジタルカメラ６０をセル生産方式により組み立てる作業を行うものとされており、当該システム１０の中心的な役割を有するパーソナル・コンピュータ（以下、「ＰＣ」という。）２０を備えている。
【００２５】
なお、本実施の形態に係る組立作業システム１０では、１つのセル屋台に対して１台のＰＣ２０が作業者によって操作可能な位置に設けられており、１つのセル屋台を複数の作業者が互いに異なる時間帯に用いるものとされている。
【００２６】
次に、図２を参照して、本実施の形態に係るＰＣ２０の電気系の要部構成を説明する。
【００２７】
同図に示すように、本実施の形態に係るＰＣ２０は、ＰＣ２０全体の動作を司るＣＰＵ（中央処理装置）２０Ａと、ＣＰＵ２０Ａによる各種処理プログラムの実行時のワークエリア等として用いられるＲＡＭ２０Ｂと、各種制御プログラムや各種パラメータ等が予め記憶されたＲＯＭ２０Ｃと、各種情報を記憶するために用いられるハードディスク２０Ｄと、各種情報を入力するために用いられるキーボード２０Ｅと、各種情報を表示するために用いられるディスプレイ２０Ｆと、ブザー２０Ｇと、が備えられており、これら各部はシステムバスＢＵＳにより電気的に相互に接続されている。
【００２８】
従って、ＣＰＵ２０Ａは、ＲＡＭ２０Ｂ、ＲＯＭ２０Ｃ、及びハードディスク２０Ｄに対するアクセス、キーボード２０Ｅを介した各種入力情報の取得、ディスプレイ２０Ｆに対する各種情報の表示、及びブザー２０Ｇの鳴動を各々行うことができる。
【００２９】
一方、図３には、ＰＣ２０に備えられたハードディスク２０Ｄの主な記憶内容が模式的に示されている。同図に示すように、ハードディスク２０Ｄには、各種データベースを記憶するためのデータベース領域ＤＢと、ＰＣ２０によって各種処理を行うための処理プログラム等を予め記憶したプログラム領域ＰＧと、が設けられている。
【００３０】
ここで、データベース領域ＤＢには、組立作業システム１０における各作業者によって各作業者独自の表現により入力された不良品に関する情報を同一の表現に統一するための情報が予め記憶された標準情報データベースＤＢ１と、何れの作業者が組立作業を行っているのかを特定するための情報が予め記憶された作業者情報データベースＤＢ２と、作業者によって発見されて入力された不良品に関する情報を記憶するための不良情報データベースＤＢ３と、が含まれる。
【００３１】
図４に示すように、本実施の形態に係る標準情報データベースＤＢ１は、カテゴリ、標準表現情報、及び作業者別表現情報の各情報が記憶されるように構成されている。
【００３２】
なお、上記カテゴリは、本実施の形態に係る組立作業システム１０において対応している不良品に関する情報の種類を示す情報である。同図に示されるように、本実施の形態に係る標準情報データベースＤＢ１では、上記カテゴリとして、不良品の名称を示す「部品名」、不良の名称を示す「不良名」、不良の度合いを示す「程度」、不良箇所の位置を示す「場所」、及び不良の数を示す「数量」の各情報が適用されている。
【００３３】
一方、上記標準表現情報は、本実施の形態に係る組立作業システム１０において対応している不良品に関する情報の統一すべき表現とされた情報である。同図に示されるように、本実施の形態に係る標準情報データベースＤＢ１では、標準表現情報として、上記「部品名」に属する「レンズ部」，「撮像基板部」，「筐体部」等と、上記「不良名」に属する「キズ」，「カケ」，「コスレ」等と、上記「程度」に属する「レベル１」，「レベル２」等と、上記「場所」に属する「Ａ−１」，「Ｂ−１」，「Ｃ−１」等と、上記「数量」に属する「１０個未満」，「１００個未満」，「１０００個未満」等とが予め記憶されている。
【００３４】
更に、上記作業者別表現情報は、対応する標準表現情報に相当する各作業者独自の表現による不良品に関する情報である。同図に示されるように、本実施の形態に係る標準情報データベースＤＢ１では、例えば、作業者Ａの作業者別表現情報として「レンズ」，「キズ中」，「キズ大」，「上面」等が、作業者Ｂの作業者別表現情報として「レンズ部」，「キズ１」，「レベル小」、「上」等が、各々予め記憶されている。
【００３５】
すなわち、同図に示される標準情報データベースＤＢ１では、例えば、カテゴリが不良名に属する不良品に関する情報において、作業者Ａによる「キズ中」との独自表現に対応する標準表現が「キズ」であり、作業者Ｂによる「キズ２」との独自表現に対応する標準表現が「カケ」であることを示している。
【００３６】
なお、本実施の形態に係る組立作業システム１０では、各作業者から作業者別表現情報の聞き取り調査を事前に行い、これによって得られた情報を用いて標準情報データベースＤＢ１を構築している。
【００３７】
一方、図示は省略するが、作業者情報データベースＤＢ２には、組立作業を行っている作業者を特定するための情報として、組立作業システム１０による組立作業を行うことが許可された各作業者に個別の情報として予め付与された情報（本実施の形態では、パスワード）が、対応する作業者を特定することのできる情報（ここでは、ＩＤ（Identification）情報）に関連付けられた状態で記憶されている。
【００３８】
また、図示は省略するが、不良情報データベースＤＢ３には、作業者によってデジタルカメラ６０の組立作業中に発見されて入力された不良品に関する情報（本実施の形態では、上記「部品名」，「不良名」，「程度」，「場所」，及び「数量」の少なくとも１つの情報等）が作業者別に記憶されるものとされている。
【００３９】
次に、本実施の形態に係る組立作業システム１０の作用を説明する。
【００４０】
まず、図５を参照して、デジタルカメラ６０の組立作業が行われている際の組立作業システム１０の作用を説明する。なお、図５は、上記組立作業が行われる際に作業者８０（以下、「処理対象作業者」という。）により実行指示がキーボード２０Ｅを介して入力されたときにＰＣ２０のＣＰＵ２０Ａによって実行される組立作業管理処理プログラムの処理の流れを示すフローチャートであり、当該プログラムはハードディスク２０Ｄのプログラム領域ＰＧに予め記憶されている。また、ここでは、当該組立作業管理処理プログラムの実行に先立ち、処理対象作業者によって予め自身に付与されている上記パスワードがキーボード２０Ｅを介して入力されている場合について説明する。また、ここでは、標準情報データベースＤＢ１が図４に模式的に示されるものである場合について説明する。
【００４１】
同図のステップ１００では、処理対象作業者によって入力されたパスワードが作業者情報データベースＤＢ２に存在するか否かを判定することにより、処理対象作業者が組立作業システム１０による組立作業を行うことが許可された作業者であるか否かを判定し、否定判定となった場合はステップ１０２に移行する。なお、上記ステップ１００の処理において肯定判定となった場合は、作業者情報データベースＤＢ２の処理対象作業者によって入力されたパスワードに関連付けられたＩＤ情報に対応する作業者が処理対象作業者であるものと特定することができる。
【００４２】
ステップ１０２では、処理対象作業者に対して組立作業を行ってはいけない旨を報知した後、本組立作業管理処理プログラムを終了する。なお、本実施の形態に係る組立作業管理処理プログラムでは、上記報知を、ブザー２０Ｇによる所定期間（ここでは、１０秒間）の鳴動により行うものとしているが、これに限らず、例えば、ディスプレイ２０Ｆによって組立作業の実行中止を指示するメッセージを表示することにより行う形態等の他の形態とすることができることは言うまでもない。
【００４３】
一方、上記ステップ１００において肯定判定となった場合にはステップ１０４に移行する。ここで、処理対象作業者は、デジタルカメラ６０の組立作業を開始し、当該組立作業の実行中に不良品を発見した場合には、その時点で自身の表現により当該不良品に関する情報を、キーボード２０Ｅを介して入力する。例えば、レンズ部６０Ａの上部に中程度のキズが存在した場合、作業者Ａは、「レンズ」，「上面」，「レベル２」，「キズ中」との情報を入力し、作業者Ｂは、「レンズ部」，「上」，「レベル中」，「キズ１」との情報（作業者別表現情報）を入力することになる。
【００４４】
そこで、ステップ１０４では、処理対象作業者による当該作業者別表現情報の入力待ちを行い、次のステップ１０６にて、上記ステップ１００の処理により特定された作業者に対応し、かつ入力された作業者別表現情報に対応する標準表現情報を標準情報データベースＤＢ１から読み出すことにより、入力された作業者別表現情報を標準表現情報に変換する。これにより、何れの作業者が処理対象作業者であっても、例えば、入力された作業者別表現情報が上記「レンズ部６０Ａの上部に中程度のキズが存在した場合」に対応するものであった場合には、「レンズ部」，「Ａ−１」，「レベル２」，「キズ」という統一された標準表現情報に変換することができる。
【００４５】
次のステップ１０８では、上記ステップ１０６の処理によって得られた標準表現情報を不良情報データベースＤＢ３に所定フォーマットで登録し、次のステップ１１０にて、組立作業を終了するタイミングが到来したか否かを判定し、否定判定となった場合は上記ステップ１０４に戻り、肯定判定となった時点で本組立作業管理処理プログラムを終了する。なお、本実施の形態に係る組立作業管理処理プログラムでは、上記組立作業を終了するタイミングを、特定した処理対象作業者の予め定められた組立作業時間帯が終了したタイミングとしているが、これに限らず、例えば、処理対象作業者により作業終了を示す情報がキーボード２０Ｅを介して入力されたタイミング等、他のタイミングとすることもできることは言うまでもない。
【００４６】
本組立作業管理処理プログラムの実行により、一例として図６に模式的に示すように、デジタルカメラ６０の組立工程においてキズ等の不良品が発見された際に、組立作業者自身の独自の表現により当該不良品に関する情報がキーボード２０Ｅを介して入力され、当該情報が標準情報データベースＤＢ１を用いて標準表現情報に変換されて、一元管理可能な状態で不良情報データベースＤＢ３に登録されることになる。
【００４７】
次に、図７を参照して、デジタルカメラ６０の組立作業が終了した後の組立作業システム１０の作用を説明する。なお、図７は、上記組立作業が終了し、かつ不良品に関する情報をフリーフォーマット形式で登録する場合に、処理対象作業者により当該登録の実行指示がキーボード２０Ｅを介して入力されたときにＰＣ２０のＣＰＵ２０Ａによって実行される組立作業終了時処理プログラムの処理の流れを示すフローチャートであり、当該プログラムもハードディスク２０Ｄのプログラム領域ＰＧに予め記憶されている。また、ここでも、当該組立作業終了時処理プログラムの実行に先立ち、処理対象作業者によって予め自身に付与されている上記パスワードがキーボード２０Ｅを介して入力されている場合について説明する。また、ここでも、標準情報データベースＤＢ１が図４に模式的に示されるものである場合について説明する。
【００４８】
同図のステップ２００では、処理対象作業者によって入力されたパスワードが作業者情報データベースＤＢ２に存在するか否かを判定することにより、処理対象作業者が組立作業システム１０による組立作業を行うことが許可された作業者であるか否かを判定し、否定判定となった場合はステップ２０２に移行する。なお、上記ステップ２００の処理において肯定判定となった場合は、作業者情報データベースＤＢ２の処理対象作業者によって入力されたパスワードに関連付けられたＩＤ情報に対応する作業者が処理対象作業者であるものと特定することができる。
【００４９】
ステップ２０２では、処理対象作業者に対して組立作業終了時処理プログラムを実行してはいけない旨を報知した後、本組立作業終了時処理プログラムを終了する。なお、本実施の形態に係る組立作業終了時処理プログラムでは、上記報知を、ブザー２０Ｇによる所定期間（ここでは、２０秒間）の鳴動により行うものとしているが、これに限らず、例えば、ディスプレイ２０Ｆによって本プログラムの実行中止を示すメッセージを表示することにより行う形態等の他の形態とすることができることは言うまでもない。
【００５０】
一方、上記ステップ２００において肯定判定となった場合にはステップ２０４に移行する。ここで、処理対象作業者は、キーボード２０Ｅを介して不良品に関する情報をフリーフォーマット形式で入力する。例えば、上部に中程度のキズが存在するレンズ部６０Ａが１００個以上１０００個未満発見された場合、作業者Ａは、「上面にレベル２のキズ中があるレンズが大量にありました」との情報を入力し、作業者Ｂは、「上にレベル中のキズ１が存在するレンズ部が多かった」との情報を入力することになる。
【００５１】
そこで、ステップ２０４では、処理対象作業者による当該情報（以下、「フリーフォーマット文」という。）の入力待ちを行い、次のステップ２０６にて、フリーフォーマット文から従来既知の技術により単語を抽出した後、上記ステップ２００の処理により特定された作業者に対応し、かつ抽出した単語に対応する標準表現情報を標準情報データベースＤＢ１から読み出すことにより、上記単語を標準表現情報に変換する。これにより、何れの作業者が処理対象作業者であっても、例えば、入力されたフリーフォーマット文が上記「上部に中程度のキズが存在するレンズ部６０Ａが１００個以上１０００個未満発見された場合」に対応するものであった場合には、当該フリーフォーマット文における単語が「Ａ−１」，「レベル２」，「キズ」，「レンズ部」，「１０００個未満」という統一された標準表現情報に変換することができる。
【００５２】
次のステップ２０８では、上記ステップ２０６の処理によって標準表現情報とされた単語にフリーフォーマット文の対応する単語を置き換えることにより、フリーフォーマット文を標準表現の文章に変換し、次のステップ２１０にて、上記ステップ２０８の処理によって得られた標準表現の文章を不良情報データベースＤＢ３に所定フォーマットで登録し、次のステップ２１２にて、本組立作業終了時処理プログラムを終了するタイミングが到来したか否かを判定して、否定判定となった場合は上記ステップ２０４に戻り、肯定判定となった時点で本組立作業終了時処理プログラムを終了する。なお、本実施の形態に係る組立作業終了時処理プログラムでは、上記組立作業終了時処理プログラムを終了するタイミングを、本組立作業終了時処理プログラムの実行開始時からの経過時間が所定時間（例えば、５分）となったタイミングとしているが、これに限らず、例えば、処理対象作業者により当該組立作業終了時処理プログラムの実行終了を指示する情報がキーボード２０Ｅを介して入力されたタイミング等、他のタイミングとすることもできることは言うまでもない。
【００５３】
次に、図８を参照して、上記組立作業終了時処理プログラムによって不良情報データベースＤＢ３に登録されたフリーフォーマット文から有用な情報を抽出する際の組立作業システム１０の作用を説明する。なお、図８は、予め定められたタイミング（ここでは、１週間の組立作業が終了したタイミング）でＰＣ２０のＣＰＵ２０Ａによって実行される有用情報抽出処理プログラムの処理の流れを示すフローチャートであり、当該プログラムもハードディスク２０Ｄのプログラム領域ＰＧに予め記憶されている。
【００５４】
同図のステップ３００では、組立作業終了時処理プログラムによって登録されたフリーフォーマット文を不良情報データベースＤＢ３から読み出し、次のステップ３０２では、読み出したフリーフォーマット文に対して従来既知のテキストマイニング技術を適用することにより、当該フリーフォーマット文から有用な情報を抽出する。以上の処理により、例えば、「Ａ−１」，「レベル２」，「キズ」，「レンズ部」，「１０００個未満」という情報が抽出されることになる。
【００５５】
そこで、次のステップ３０４では、以上の処理によって抽出された上記有用な情報を不良情報データベースＤＢ３に所定フォーマットにて登録し、その後に本有用情報抽出処理プログラムを終了する。
【００５６】
以上の組立作業終了時処理プログラム及び有用情報抽出処理プログラムの実行により、一例として図９に模式的に示すように、デジタルカメラ６０の組立工程が終了した後に、組立作業者が印象に残った不良品に関する情報が組立作業者自身の独自の表現によるフリーフォーマット文としてキーボード２０Ｅを介して入力され、当該情報が標準情報データベースＤＢ１を用いて標準表現情報に変換されて、更にテキストマイニング技術により有用な情報のみが一元管理可能な状態で不良情報データベースＤＢ３に登録されることになる。
【００５７】
以上詳細に説明したように、本実施の形態では、所定組立物（ここでは、デジタルカメラ６０）の組立作業を行う作業者で、かつ前記組立作業を行っているときに発見された当該組立作業で用いる部品の不良品に関する不良品情報を入力する作業者毎に、前記不良品情報を示す予め定められた複数の情報として、対応する前記作業者の独自の表現による作業者別表現情報と統一された表現による標準表現情報とを関連付けて記憶手段（ここでは、ハードディスク２０Ｄ）により予め記憶しておき、何れかの前記作業者によって前記作業者別表現情報を用いた前記不良品情報が入力されたとき、当該不良品情報を入力している作業者を特定し、特定した作業者に対応し、かつ入力された前記不良品情報に含まれる前記作業者別表現情報に対応する前記標準表現情報を前記記憶手段から読み出すことにより、入力された前記不良品情報に含まれる前記作業者別表現情報を前記標準表現情報に変換しているので、目視により発見された不良品に関する情報を簡易に統一された表現の情報として入力することができる。
【００５８】
また、本実施の形態では、前記複数の情報を、前記不良品を特定することのできる不良品特定情報（ここでは、「部品名」に属する情報）、前記不良品の不良の名称を示す不良名情報（ここでは、「不良名」に属する情報）、前記不良の程度を示す不良程度情報（ここでは、「程度」に属する情報）、前記不良の位置を示す不良位置情報（ここでは、「場所」に属する情報）、及び前記不良品の数を示す不良品数情報（ここでは、「数量」に属する情報）としているので、これらの情報を簡易に統一された表現の情報として入力することができる。
【００５９】
また、本実施の形態では、前記記憶手段が、前記変換によって得られた前記標準表現情報を更に記憶しているので、当該標準表現情報を任意のタイミングで利用することができ、利便性を向上させることができる。
【００６０】
また、本実施の形態では、前記不良品情報の入力を、前記組立作業を行っている途中で、かつ前記不良品が発見された時点、及び前記組立作業が所定期間単位で終了した時点の双方で行うものとしているので、これらの各時点において不良品情報を入力する必要のある用途に対応することができる。
【００６１】
特に、本実施の形態では、前記組立作業が所定期間単位で終了した時点で前記作業者別表現情報を用いた文章（ここでは、フリーフォーマット文）を前記不良品情報として入力するものとし、前記作業者別表現情報が前記標準表現情報に変換された後の前記文章からテキストマイニング技術によって有効な単語情報を抽出して前記記憶手段により記憶しているので、有効な単語情報を標準表現情報に統一されたものとして得ることができ、当該単語情報を用いた統計処理等の各種処理を簡易かつ高精度に行うことができる。
【００６２】
［第２の実施の形態］
本第２の実施の形態では、不良品に関する情報（作業者別表現情報）を音声にて入力する場合の形態例について説明する。
【００６３】
本第２の実施の形態に係る組立作業システム１０の全体構成は、ＰＣ２０の構成を除いて上記第１の実施の形態に係るもの（図１参照。）と同様であるので、以下、図１０を参照して、本第２の実施の形態に係るＰＣ２０の構成を説明する。なお、図１０の図２と同一の構成要素には図２と同一の符号を付して、その説明を省略する。
【００６４】
図１０に示すように、本第２の実施の形態に係るＰＣ２０は、上記第１の実施の形態に係るＰＣ２０に比較して、マイク２０Ｉが電気的に接続された入出力Ｉ／Ｆ（インタフェース）２０Ｈが設けられている点のみが異なっている。なお、本第２の実施の形態に係る組立作業システム１０では、マイク２０Ｉが、作業者の頭部に装着されるヘッドセット（図示省略。）に設けられているが、これに限らず、作業者により発声された音声を集音することができる位置であれば何れの位置に設けてもよい。
【００６５】
入出力Ｉ／Ｆ２０ＨはシステムバスＢＵＳに電気的に接続されている。従って、ＣＰＵ２０Ａは、作業者によってマイク２０Ｉに向けて発声された音声を示す情報をデジタルデータ（ここでは、テキストデータ）として入力することができる。
【００６６】
本第２の実施の形態に係る組立作業システム１０では、上記第１の実施の形態に係る組立作業管理処理プログラム（図５参照。）、組立作業終了時処理プログラム（図７参照。）、及び有用情報抽出処理プログラム（図８参照。）の各処理プログラムと略同様の処理が同様のタイミングで実行されるが、組立作業管理処理プログラムのステップ１０４と、組立作業終了時処理プログラムのステップ２０４の各処理において不良品に関する情報の入力元がマイク２０Ｉとなる点のみが異なる。
【００６７】
従って、本第２の実施の形態に係る組立作業システム１０では、一例として図１１に模式的に示すように、デジタルカメラ６０の組立工程においてキズ等の不良品が発見された際に、組立作業者自身の独自の表現により当該不良品に関する情報が音声にて入力され、当該情報が標準情報データベースＤＢ１を用いて標準表現情報に変換されて、一元管理可能な状態で不良情報データベースＤＢ３に登録されることになる。
【００６８】
この形態においても、上記第１の実施の形態と同様の効果を奏することができると共に、不良品情報を音声情報として入力しているので、キーボード等の入力装置に対する操作が必要なくなる結果、当該操作に起因する組立作業の効率の低下を抑制することができる。
【００６９】
なお、上記各実施の形態では、本発明をＰＣ２０の単体により構成した場合について説明したが、本発明はこれに限定されるものではなく、例えば、複数のセル屋台に対して上記各実施の形態と略同様の構成とされたＰＣ２０を設け、各ＰＣ２０間をサーバ装置が接続されたネットワークで電気的に接続し、各ＰＣ２０を介して複数の作業者により入力された不良品に関する情報を上記サーバ装置にアップロードすることにより、当該サーバ装置によって上記不良品に関する情報を集中管理する形態とすることもできる。この場合、上記サーバ装置に上記各実施の形態と同様の標準情報データベースＤＢ１、作業者情報データベースＤＢ２、及び不良情報データベースＤＢ３が設けられることになる。この場合も、上記各実施の形態と同様の効果を奏することができる。
【００７０】
また、上記各実施の形態では、作業者が全て日本人である場合について説明したが、本発明はこれに限定されるものではなく、例えば、作業者に日本語での入力作業を行うことのできない外国人等が含まれる形態とすることもできる。
【００７１】
この場合は、上記外国人等から作業者別表現情報の聞き取り調査等を事前に行い、これによって得られた情報を用いて標準情報データベースＤＢ１を構築することになる。
【００７２】
この場合、一例として図１２に模式的に示すように、デジタルカメラ６０の組立工程においてキズ等の不良品が発見された際に、上記外国人等を含む組立作業者自身の独自の表現（言語）により当該不良品に関する情報がキーボード２０Ｅを介して入力され、当該情報が標準情報データベースＤＢ１を用いて標準表現情報に変換されて、一元管理可能な状態で不良情報データベースＤＢ３に登録されることになる。この場合、日本語のみならず、他国語による入力にも対応することができる。
【００７３】
また、上記各実施の形態では、デジタルカメラ６０の組立作業を行う形態に本発明を適用した場合について説明したが、本発明はこれに限定されるものではなく、他の如何なる装置や部品の組立作業を行う形態にも本発明は適用できることは言うまでもない。この場合も、上記各実施の形態と同様の効果を奏することができる。
【００７４】
その他、上記各実施の形態で説明した組立作業システム１０及びＰＣ２０の構成（図１〜図３，図１０参照。）は一例であり、本発明の主旨を逸脱しない範囲内において適宜変更可能であることは言うまでもない。
【００７５】
また、上記各実施の形態で示した標準情報データベースのデータ構造（図４参照。）も一例であり、本発明の主旨を逸脱しない範囲内において、不要な情報を削除したり、必要に応じて新たな情報を追加したりすることができることは言うまでもない。
【００７６】
更に、上記各実施の形態で示した各種処理プログラムの処理の流れ（図５，図７，図８参照。）も一例であり、本発明の主旨を逸脱しない範囲内において、不要な処理ステップを削除したり、新たな処理ステップを追加したり、処理順序を変更したりすることができることは言うまでもない。
【図面の簡単な説明】
【００７７】
【図１】実施の形態に係る組立作業システムの全体構成を示す概略図である。
【図２】第１の実施の形態に係るパーソナル・コンピュータの電気系の要部構成を示すブロック図である。
【図３】実施の形態に係るパーソナル・コンピュータに備えられたハードディスクの主な記憶内容を示す模式図である。
【図４】実施の形態に係る標準情報データベースのデータ構造を示す模式図である。
【図５】実施の形態に係る組立作業管理処理プログラムの処理の流れを示すフローチャートである。
【図６】実施の形態に係る組立作業管理処理プログラムの実行内容の説明に供する模式図である。
【図７】実施の形態に係る組立作業終了時処理プログラムの処理の流れを示すフローチャートである。
【図８】実施の形態に係る有用情報抽出処理プログラムの処理の流れを示すフローチャートである。
【図９】実施の形態に係る組立作業終了時処理プログラム及び有用情報抽出処理プログラムの実行内容の説明に供する模式図である。
【図１０】第２の実施の形態に係るパーソナル・コンピュータの電気系の要部構成を示すブロック図である。
【図１１】第２の実施の形態に係る組立作業管理処理プログラム、組立作業終了時処理プログラム及び有用情報抽出処理プログラムの実行内容の説明に供する模式図である。
【図１２】実施の形態に係る組立作業システムの変形例の説明に供する模式図である。
【符号の説明】
【００７８】
１０    組立作業システム
２０    パーソナル・コンピュータ
２０Ａ    ＣＰＵ（特定手段、変換手段、抽出手段）
２０Ｄ    ハードディスク（記憶手段）
２０Ｅ    キーボード（入力手段）
２０Ｆ    ディスプレイ
２０Ｇ    ブザー
２０Ｉ    マイク（入力手段）
６０    デジタルカメラ（組立物）
８０    作業者
ＤＢ１    標準情報データベース
ＤＢ２    作業者情報データベース
ＤＢ３    不良情報データベース
【図１】
2007172155.tif 000003
【図２】
2007172155.tif 000004
【図３】
2007172155.tif 000005
【図４】
2007172155.tif 000006
【図５】
2007172155.tif 000007
【図６】
2007172155.tif 000008
【図７】
2007172155.tif 000009
【図８】
2007172155.tif 000010
【図９】
2007172155.tif 000011
【図１０】
2007172155.tif 000012
【図１１】
2007172155.tif 000013
【図１２】
2007172155.tif 000014